(57)【要約】　　　（修正有）【課題】生海苔の乾燥に於いて、加熱室に導入する外気及び／又は内気の温湿度を測定し、乾燥室にほぼ均一な熱風を送る方法の提供。【解決手段】外気吸込み口及び内気排出口とをそなえた建屋に設けた加熱室で生成された熱風を乾燥室に供給し、センサーによる温湿度計測を介して乾燥室等内の生海苔を乾燥する海苔乾燥方法であり、加熱室、乾燥室等の１箇所に設置したセンサーは、一基で温湿度を計測し、計測値に基づいて、加熱室に吸込まれる内外気は、加熱室の必要箇所に、必要とする空気量を、確実に吸込んでこの加熱室の温湿度の均一化を図り、乾燥室に均一な熱風を供給する。【選択図】　　図３
2004097128.tif 000002
【特許請求の範囲】
【請求項１】
外気吸込み口及び内気排出口を備えた建屋に、加熱室、乾燥室等を備え、この加熱室で生成された熱風を乾燥室等に供給して、前記建屋、又は加熱室、乾燥室等に設置したセンサーによる温度及び／又は湿度計測を介して当該乾燥室等内の生海苔を乾燥する海苔乾燥方法において、
前記センサーを、前記建屋、又は加熱室、乾燥室等の少なくとも１箇所に、一基設置し、この一基のセンサーで温度及び／又は湿度を計測し、この計測値に基づいて、前記加熱室及び／又は乾燥室の所定箇所に、所定量の温風及び／又は熱風等の空気を供給し、この加熱室及び／又は乾燥室の温度及び／又は湿度の略均一化を図る構成とした海苔乾燥の最適環境維持を図る温湿度測定方法。
【請求項２】
請求項１に記載のセンサーを、建屋に設けた測定室に設け、この測定室にタ゛クトを介して加熱室及び／又は乾燥室の室内空気を個別に吸込み、この個別に吸込んだ空気を、このセンサーで測定する構成とした海苔乾燥の最適環境維持を図る温湿度測定方法。
【請求項３】
請求項１に記載のセンサーを、加熱室及び／又は乾燥室の上方に移動可能に設け、この移動位置で加熱室及び／又は乾燥室の室内空気を、このセンサーで個別に測定する構成とした海苔乾燥の最適環境維持を図る温湿度測定方法。
【請求項４】
請求項１に記載のセンサーは、加熱室及び／又は乾燥室の室内空気を吸込んで測定する構成であって、この加熱室及び／又は乾燥室の上方に移動可能に設けた移動体と、この移動体に設けたホースを介して前記移動体の移動位置で、当該加熱室及び／又は乾燥室の室内空気を個別に吸込み、この個別に吸込んだ空気を、このセンサーで測定する構成とした海苔乾燥の最適環境維持を図る温湿度測定方法。
【発明の詳細な説明】
【０００１】
【発明の属する技術分野】
この発明は、建屋、又は加熱室、乾燥室等の少なくとも１箇所に、一基設置したセンサーで温度及び／又は湿度を計測し、この計測値に基づいて加熱室及び／又は乾燥室に温風又は熱風等を供給し、この加熱室及び／又は乾燥室内の温湿度の略均一化を達成する海苔乾燥の最適環境維持を図る温湿度測定方法に関する。
【０００２】
【従来の技術】
現在の海苔乾燥は、乾燥建屋に設置された全長１０ｍ程度の全自動海苔乾燥機（海苔簀、乾燥室、又は吸込みファン、釜等を備えた加熱室とで構成する）で行なわれている。その一例を、簡単に説明すると、加熱室内には、吸込み用のファンを介して建屋外の空気（外気）と建屋中の空気（内気）が吸込まれる。この内外気は、加熱室での熱交換を介して高温空気（熱風）に変換された後、乾燥室に供給される。従って、乾燥室の生海苔（抄き海苔）は、この熱風を利用して乾燥される。また乾燥室から排出される湿り空気（暖気とする）は、建屋に設けた内気排出口より、建屋外に排気されるとともに、乾燥室は、適度な温度と湿度が必要なので、暖気の一部は、外気と一緒に再度、加熱室に吸込まれて、前述と同じ途を辿る。そして乾燥室の生海苔は、室内を２時間程度かけて数往復する間に乾燥される。
【０００３】
生海苔の乾燥は、乾燥室内を流れる空気の温度や湿度が、大きな影響を与える。例えば、温湿度のムラによる海苔の一部が乾かない弊害（例えば、ヌレの発生、全体にツヤがなく曇ったように見えるクモリ）、又は急激な乾燥による弊害（例えば、不均一な縮みが基で発生する皺によるチチ゛ミ海苔等）、また過乾燥による弊害（例えば、破れ、孔あき等）の発生と、この弊害による海苔の品質低下・価値の低下等の発生がある。また問題となる温湿度のムラが発生する他の原因は、建屋の隙間風や、屋根や壁の形状の違いで空気の流れが異なること等も考えられる。いずれにしても、加熱室、又は乾燥室、建屋等の温度・湿度の分布状況を確実に把握して、乾燥室の温湿度管理することが肝要である。
【０００４】
そして、この加熱室、又は乾燥室、建屋等の温度・湿度の分布状況を得るために、複数の測定点にそれぞれ温度・湿度センサーを設置し、各測定箇所で個別に測定する方法がある。しかし、この方法では以下の欠点がある。▲１▼センサーによって初期値にハ゛ラツキがあるため、調整が必要である。また▲２▼センサーの劣化スヒ゜ート゛が個々に異なるため、初期値をそろえても時間とともにハ゛ラツキがあり（特に湿度センサーが顕著である）、精緻な計測ができない。そして、現場で特に問題となるのが、前述の▲２▼である。
【０００５】
最近の傾向として、加熱室の前に、補助ヒータを設け、この補助ヒータを利用して、外気を一時的に暖め、この暖めた空気（温風）を、加熱室に供給する構成（予備加熱方法）が採用されつつある。本出願人もこれに関する発明を提案している。この予備加熱方法の最も有効な利用は、外気及び／又は内気を、加熱室の供給箇所に供給すること、及び所定の供給量とすることであり、この条件を充足することで、当該加熱室で略均一（均一とする）な熱風が生成される。この均一な熱風を、乾燥室に供給することで、生海苔の均一な乾燥が図れ、前述の種々の弊害防止に役立つ。しかし、現実の予備加熱方法では、前記の外気及び／又は内気を、所定箇所に、所定量供給することは、構成上では困難視されており、均一な熱風生成に問題を残しており、その改良が望まれている。
【０００６】
【発明が解決しようとする課題】
前述の如く、従来の予備加熱方法では、加熱室及び／又は乾燥室の温湿度管理効果が図れない課題がある。この予備加熱方法を、最大限達成できる海苔乾燥の最適環境維持を図る温湿度測定方法が要望される状況となった。
【０００７】
上記に鑑み本発明は、建屋、又は加熱室、乾燥室等の少なくとも１箇所に、一基のセンサーを設置し、温度及び／又は湿度（温湿度とする）を計測し、計測値に基づいて、加熱室に吸込まれる外気及び／又は内気（内外気とする）を、必要箇所に、必要量の空気を、確実に吸込んで加熱室の温湿度の略均一化（均一化とする）を図り、乾燥室に略均一な熱風を供給する構成として、生海苔の均一な乾燥を図り、燃料の節約化、管理の効率化と、又は海苔の品質・価値の向上を達成する。そして、また温湿度管理の簡便化等と、また建屋の空気、暖気等の流れの効率化、スムース゛な流れの確保等を意図する。
【０００８】
【課題を解決するための手段】
請求項１の発明は、加熱室及び／又は乾燥室に吸込まれる内外気を、必要箇所に、必要量の空気を、確実に吸込んで加熱室及び／又は乾燥室の温湿度の均一化を図り、乾燥室に略均一な熱風を供給すること、及びこれにより生海苔の均一な乾燥を図り、燃料の節約化、管理の効率化と、又は海苔の品質・価値の向上を達成すること、等を意図する。また温湿度管理の簡便化等と、また建屋の空気、暖気等の流れの効率化、スムース゛な流れの確保等を意図する。
【０００９】
請求項１は、外気吸込み口及び内気排出口を備えた建屋に、加熱室、乾燥室等を備え、この加熱室で生成された熱風を乾燥室等に供給して、前記建屋、又は加熱室、乾燥室等に設置したセンサーによる温度及び／又は湿度計測を介して当該乾燥室等内の生海苔を乾燥する海苔乾燥方法において、
前記センサーを、前記建屋、又は加熱室、乾燥室等の少なくとも１箇所に、一基設置し、この一基のセンサーで温度及び／又は湿度を計測し、この計測値に基づいて、前記加熱室及び／又は乾燥室の所定箇所に、所定量の温風及び／又は熱風等の空気を供給し、この加熱室及び／又は乾燥室の温度及び／又は湿度の略均一化を図る構成とした海苔乾燥の最適環境維持を図る温湿度測定方法である。
【００１０】
請求項２の発明は、請求項１の目的を達成しつつ、均一な温風の生成に最適な計測を図ることを意図する。
【００１１】
請求項２は、請求項１に記載のセンサーを、建屋に設けた測定室に設け、この測定室にタ゛クトを介して加熱室及び／又は乾燥室の室内空気を個別に吸込み、この個別に吸込んだ空気を、このセンサーで測定する構成とした海苔乾燥の最適環境維持を図る温湿度測定方法である。
【００１２】
請求項３の発明は、請求項１の目的を達成しつつ、均一な温風の生成に最適な計測方法の提供を意図する。
【００１３】
請求項３は、請求項１に記載のセンサーを、加熱室及び／又は乾燥室の上方に移動可能に設け、この移動位置で加熱室の室内空気を、このセンサーで個別に測定する構成とした海苔乾燥の最適環境維持を図る温湿度測定方法である。
【００１４】
請求項４の発明は、請求項１の目的を達成しつつ、均一な温風の生成に最適な他の計測方法の提供を意図する。
【００１５】
請求項４は、請求項１に記載のセンサーは、加熱室及び／又は乾燥室の室内空気を吸込んで測定する構成であって、この加熱室及び／又は乾燥室の上方に移動可能に設けた移動体と、この移動体に設けたホースを介して前記移動体の移動位置で、当該加熱室及び／又は乾燥室の室内空気を個別に吸込み、この個別に吸込んだ空気を、このセンサーで測定する構成とした海苔乾燥の最適環境維持を図る温湿度測定方法である。
【００１６】
【発明の実施の形態】
以下、本発明の実施の形態を説明する。
【００１７】
建屋は、第１・第２の外気吸込み口と内気排出口を備えている。従って、外気は、概説すると、▲１▼の第１の外気吸込み口→加熱室と、▲２▼の第１の外気吸込み口及び／又は第２の外気吸込み口→補助ヒータ→加熱室とが考えられる。以下、この▲１▼、▲２▼のルートを説明する。その後は、加熱室→乾燥機のルートとなる。
【００１８】
▲１▼のルートは、第１の外気吸込み口より吸込まれた（導入された）外気は、建屋の空気流通帯域を経由して、加熱室に導入された後、加熱室に装備されている釜により昇温されて熱風に変換される。尚、この加熱室には、乾燥室から排出される湿り空気（空気流通帯域の暖気）の一部が、導入される（以下、同じ）。
【００１９】
▲２▼のルートは、第１の外気吸込み口及び／又は第２の外気吸込み口より導入された外気は、補助ヒータに到り、この補助ヒータの釜により昇温されて温風に変換される。
この第１・第２の外気吸込み口から導入される外気の量を、個別及び／又は相互に調整して、補助ヒータのランニンク゛コストの低廉化、熱交換の効率化等を図ること、又は温風及び／又は熱風の迅速な生成、乾燥作業の迅速化等を図ること、等の状況も考えられる。また補助ヒータには、空気流通帯域の暖気を一部導入して、補助ヒータの効率的な稼働と、装置の小型化、暖気の有効活用とを図る。
【００２０】
そして、この温風は、タ゛クトを経由して加熱室の各吸込み口（所定箇所）に、その量及び／又は供給時間（所定量とする）等を考慮して、個別及び／又は全体（以下、個別等とする）に供給する。この加熱室において、温湿度の均一化、又は温湿度の個別化（スホ゜ット式に、温湿度を変更することを云う）を図る。また加熱室には、建屋の空気流通帯域の暖気を導入して、加熱室の効率的な稼働と、装置の小型化、暖気の有効活用とを図る。
【００２１】
前述した外気及び／又は空気流通帯域の暖気、又は温風等（吸込み空気）を、例えば、（イ）補助ヒータ及び／又は加熱室等の所定箇所に、所定量供給するか、（ロ）補助ヒータ及び／又は加熱室等の全体に、個別に所定量供給するか、（ハ）　補助ヒータ及び／又は加熱室等の全体に、略均一に所定量供給するか、等の手段（この手段を、所定箇所及び／又は所定量とする）を採用する。この手段の一例を説明する。図４の例では、建屋の所定箇所に測定室を設け、この測定室に多数本のタ゛クト（吸込み用ファン）を介して加熱室の室内空気を個別に吸込み、この吸込み空気を、この各センサーで個別に測定し、その個別の測定結果を基に、加熱室等の所定箇所及び／又は所定量を、個別等の方法で供給し、加熱室において均一な熱風生成を図る。
また図５、図６の例では、センサーを、加熱室の上方のレール上に移動可能に設けた移動体に設け、この移動体の移動位置で加熱室の室内空気を、個別に測定する構成とした計測方法である。計測後の操作は、前述の例に準ずる。さらに図７の例では、加熱室の上方に移動体を移動可能に設け、この移動体に設けたホースを介して移動体の移動位置で、加熱室の室内空気を個別に吸込み、この個別に吸込んだ空気を、このセンサーで測定する構成とした計測方法である。計測後の操作は、前述の例に準ずる。
【００２２】
そして、加熱室で生成された熱風は、加熱室と乾燥室とを連通する熱風路を介して乾燥室全体に供給する。従って、乾燥室に最適な状態の熱風が供給されるので、生海苔の乾燥の略均一化と、乾海苔のヌレ、ワレ、艶ムラ、チチ゛ミ、テリ等の欠陥製品の発生をなくし得ること、又は品質の向上が期待できること、等の実益がある。
尚、本発明のホ゜イントは、加熱室の上方（外気の導入箇所、乾燥室からの暖気の導入箇所及びタ゛クトからの吹出し口）の空気の温湿度（個別の場合も可能である）を、１ヶ所に設けた温湿度センサーを介して計測し、温度及び／又は湿度の高い所に、タ゛クトから温風、湿り空気等を加熱室の所定箇所に所定量を供給し、この加熱室で熱風を生成し、この熱風を乾燥室に供給して温度及び／又は湿度（以下、温度等とする）の略均一化を図る。
【００２３】
尚、空気流通帯域の暖気の多くは、内気排出口を介して外部に排気し、建屋及び／又は乾燥機の温湿度調整と、又はこれらの温風、熱風の効率的な生成を図る。尚、図６では乾燥機の吸込み口近傍の温湿度を、従来例と、本装置を採用した例とを比較検討したが、設置後の均一化の状況が判明した。これにより、所望の成果があったことが理解できる。
【００２４】
また図示しないが、タ゛クトに、温風用のタ゛クトを採用し、この温風用のタ゛クトを加熱室の吸込み口（上方等）近傍に設置して、温度調整を、個別にすること、又は湿度調整と合わせて図ること、等も可能である。またより精緻な温湿度を図るために、ハ゜イフ゜の一部を建屋外に設置し、外気を計測して、内外気の計測を利用して、建屋内、加熱室及び／又は乾燥室等の温湿度管理、又は総合管理することが理想である。
【００２５】
また前記図４〜図８の各例を、乾燥室と仮定することも可能であり、この例では、温風及び／又は暖気を、例えば、（イ）加熱室及び／又は乾燥室等の所定箇所に、所定量供給するか、（ロ）加熱室及び／又は乾燥室等の全体に、個別に所定量供給するか、（ハ）　加熱室及び／又は乾燥室等の全体に、略均一に所定量供給するか、等の手段を採用する。この手段の一例は前述の例に準ずる。
【００２６】
【実施例】
以下、本発明の海苔乾燥装置と建屋に関して、好ましい一例を説明する。
【００２７】
１は建屋で、この建屋１にはシャッター（図示せず）を備えた第１の外気吸込み口２と内気排出口３（屋上扇３０を備えた排出口）を備える。またこの建屋１には、海苔抄き機４、乾燥室５と、この乾燥室５に熱風を供給する加熱室６、補助ヒータ７並びにタ゛クト８が配備されている。そして、この一例では、補助ヒータ７（補助ヒータ室）に設けられている。この補助ヒータ７には、第２の外気吸込み口９と、空気流通帯域１００に連通する内気吸込み口１０が設けられている。また補助ヒータ７の上方に部屋７１を設けた簡易型の例もある。この例では、部屋７１にシャッター９ａを備えた第２の外気吸込み口９と、空気流通帯域１００に連通する風量調整用のシャッター１０ａを備えた内気吸込み口１０を設ける。図中７１０は部屋７１と補助ヒータ７とを連通する通路７１１に設けたファン、７１２は吹出し口、７１３は補助ヒータ７と部屋７１を連通する排気口、７１４は釜、７１５はハ゛ーナー等の熱源、７１６はシャッター、７１７は煙突を示しており、部屋７１の外気等は通路７１１を介して補助ヒータ７内に誘導し、熱交換した後、吹出し口７１２より乾燥室５に送る。また排気口７１３はシャッター７１６で風量調整する。また建屋１内の温湿度管理は、労働環境の確保と、この労働環境の確保を介して各人の健康及び／又は作業管理に寄与できる。
【００２８】
またタ゛クト８には多数個の吹出し口８０、８０等（８０とする）を備えており、この吹出し口８０より補助ヒータ７で生成された温風を、例えば、直下に配備した加熱室６のファン６０に向かって直接、又は間接等の方法で供給する（吹出す）。この供給操作は、前述の方法を介して各吹出し口８０より個別に行なうか及び／又は所定量とするかを選択する。そして、各吹出し口８０は、内気吸込み口寸法の大小、又は開閉自在等の如く、各種の態様が考えられる。
【００２９】
尚、加熱室６は上方に内気吸込み口（図示せず）を有しており、ファン６０と釜６１、又はハ゛ーナー等の熱源（図示せず）を有する。図中６２は熱風路を示す。また建屋１、補助ヒータ７、加熱室６、又は乾燥室５、タ゛クト８、又は測定室２０等の何れか１部位又は数部位の１箇所には、温度及び／又は湿度センサー２１を設け、温湿度計測する。そして、この計測値に基づいて、加熱室６、又は乾燥室５、必要により補助ヒータ７等に、温風、暖気又は熱風等を供給して、温湿度、風量、又は風速等を調整する。
【００３０】
図中２２は乾燥室５の孔５０と測定室２０との間を繋ぐハ゜イフ゜で、２２０はハ゜イフ゜２２に設けた切替弁を示す。図中５１は乾燥室５の孔５０近傍に設けたファンを示す。この例では、乾燥室５の暖気及び／又は熱風をハ゜イフ゜２２を介して測定室２０に送る。尚、この測定室２０の暖気等を送風機２３及びハ゜イフ゜２４、又はファン２５を介して乾燥室５にリターンする構成が効率的であり、また建屋１内の空気の流れを乱すことを回避して、乾燥室５等の温湿度調整の容易化、確実性を確保する。
【００３１】
また図中２６は乾燥室５の上方に設けたレール（コンヘ゛ヤ、ワイヤー等）で、このレール２６を利用して移動体２７（台車、飛行、気球等）が移動（自動及び／又は手動：遠隔操作等で移動）する。この移動体２７にはセンサー２１が設けられている。尚、このセンサー２１による計測は前述の例に準ずる。
【００３２】
さらに図中２８はフレキシフ゛ルのハ゜イフ゜で、このハ゜イフ゜２８は、乾燥室５の上方に設けたレール２６を利用して走行する移動体２７に設けられており、その吸込み口２８ａが乾燥室５に開口し、また吹出口２８ｂが測定室２０にそれぞれ繋がれている。従って、移動体２７の移動した位置で、乾燥室５の暖気及び／又は熱風を吸込み、測定室２０に送る。
尚、測定室２０のセンサー２１による計測は前述の例に準ずる。また吹出口２８ｂに弁２８ｃを設けることもあり得る。これにより、測定室２０への暖気等の導入阻止と、センサー２１の保護を図る（他の例も同じ）。
【００３３】
図中４０は壁面等の支持体に取付けたケーフ゛ル、紐等の支持手段で、この支持手段４０に移動体２７を設け、この移動体２７にハ゜イフ゜２８を設ける。他の構成は前述の例に準ずる。そして、この移動体２７は紐、ケーフ゛ル、ハ゛ネ、又は磁性体等の作動手段４１を利用する。図中４２は作動手段４１用のモータ、磁石、リモコン、コンヒ゜ュータ等の駆動部を示す。
【００３４】
【発明の効果】
請求項１の発明は、外気吸込み口及び内気排出口を備えた建屋に、加熱室、乾燥室等を備え、加熱室で生成された熱風を乾燥室等に供給して、建屋、又は加熱室、乾燥室等に設置したセンサーによる温度及び／又は湿度計測を介して乾燥室等内の生海苔を乾燥する海苔乾燥方法において、センサーを、前記建屋、又は加熱室、乾燥室等の少なくとも１箇所に、一基設置し、一基のセンサーで温度及び／又は湿度を計測し、計測値に基づいて、加熱室及び／又は乾燥室の所定箇所に、所定量の温風及び／又は熱風等の空気を供給し、加熱室及び／又は乾燥室の温度及び／又は湿度の略均一化を図る構成とした海苔乾燥の最適環境維持を図る温湿度測定方法である。従って、加熱室及び／又は乾燥室に吸込まれる内外気を、必要箇所に、必要量の空気を、確実に吸込んで加熱室及び／又は乾燥室の温湿度の均一化を図り、乾燥室に略均一な熱風を供給できること、及びこれにより生海苔の均一な乾燥を図り、燃料の節約化、管理の効率化と、又は海苔の品質・価値の向上が達成されること、等の特徴がある。また温湿度管理の簡便化等と、また建屋の空気、暖気等の流れの効率化、スムース゛な流れの確保等が図れる実益がある。また海苔の乾燥環境の適切な改善が可能となる特徴がある。
【００３５】
請求項２の発明は、請求項１に記載のセンサーを、建屋に設けた測定室に設け、測定室にタ゛クトを介して加熱室及び／又は乾燥室の室内空気を個別に吸込み、個別に吸込んだ空気を、センサーで測定する構成とした海苔乾燥の最適環境維持を図る温湿度測定方法である。従って、請求項１の目的を達成しつつ、均一な温風及び／又は熱風等の生成に最適な計測ができること、等の特徴がある。
【００３６】
請求項３の発明は、請求項１に記載のセンサーを、加熱室及び／又は乾燥室の上方に移動可能に設け、移動位置で加熱室及び／又は乾燥室の室内空気を、センサーで個別に測定する構成とした海苔乾燥の最適環境維持を図る温湿度測定方法である。従って、請求項１の目的を達成しつつ、均一な温風の生成に最適な計測方法を提供できる。
【００３７】
請求項４の発明は、請求項１に記載のセンサーは、加熱室及び／又は乾燥室の室内空気を吸込んで測定する構成であって、加熱室及び／又は乾燥室の上方に移動可能に設けた移動体と、移動体に設けたホースを介して移動体の移動位置で、加熱室及び／又は乾燥室の室内空気を個別に吸込み、この個別に吸込んだ空気を、センサーで測定する構成とした海苔乾燥の最適環境維持を図る温湿度測定方法である。従って、請求項１の目的を達成しつつ、均一な温風の生成に最適な他の計測方法を提供できる。
【図面の簡単な説明】
【図１】本発明の一例を示す正面模式図
【図２】図１の例の側面模式図
【図３】本発明の補助ヒータの一例を示す側面模式図
【図４】本発明の乾燥室と測定室及びセンサーとの関係の一例を示す側面模式図
【図５】本発明の他の乾燥室と測定室及びセンサーとの関係の一例を示す側面模式図
【図６】図５の平面模式図
【図７】本発明のさらに他の乾燥室と測定室及びセンサーとの関係の一例を示す側面模式図
【図８】本発明の別の乾燥室と測定室及びセンサーとの関係の一例を示す側面模式図
【図９】従来の一例を示す側面模式図
【符号の説明】
１　　　　建屋
１００　　　空気流通帯域
２　　　　　　　第１の外気吸込み口
３　　　　内気排出口
３０　　　　屋上扇
４　　　　　　　海苔抄き機
５　　　　　　　乾燥室
５０　　　　孔
５１　　　　ファン
６　　　　加熱室
６０　　　　ファン
６１　　　　釜
６２　　　　熱風路
７　　　　　　　補助ヒータ
７１　　　　部屋
７１０　　　ファン
７１１　　　通路
７１２　　　吹出し口
７１３　　　排気口
７１４　　　釜
７１５　　　熱源
７１６　　　シャッター
７１７　　　煙突
８　　　　タ゛クト
８０　　　　吹出し口
９　　　　第２の外気吸込み口
９ａ　　　　シャッター
１０　　　　内気吸込み口
１０ａ　　　　シャッター
２０　　　　測定室
２１　　　　センサー
２２　　　　ハ゜イフ゜
２２０　　　切替弁
２３　　　　送風機
２４　　　　ハ゜イフ゜
２５　　　　ファン
２６　　　　レール
２７　　　　移動体
２８　　　　ハ゜イフ゜
２８ａ　　　吸込み口
２８ｂ　　　吹出口
２８ｃ　　　弁
４０　　　　支持手段
４１　　　　作動手段
４２　　　　駆動部
【図１】
2004097128.tif 000003
【図２】
2004097128.tif 000004
【図３】
2004097128.tif 000005
【図４】
2004097128.tif 000006
【図５】
2004097128.tif 000007
【図６】
2004097128.tif 000008
【図７】
2004097128.tif 000009
【図８】
2004097128.tif 000010
【図９】
2004097128.tif 000011